(57)【特許請求の範囲】
【請求項１】
互いに対面して平行状に配される第１、第２の長辺壁と、
端部が前記第１、第２の長辺壁の一端部それぞれに連接された第１の短辺壁と、
前記第１の短辺壁と対面して平行状に配され、片方の端部は前記第１の長辺壁と連接されるが他方の端部は前記第２の長辺壁とは連接されず、遊技球を１列で流出させるための出口を該他方の端部と前記第２の長辺壁との間に形成する第２の短辺壁と、
前記第１の短辺壁を上流端とし前記出口を下流端として前記第２の長辺壁の内側に沿って配された溝であり、幅は遊技球を１列で流下させる幅で、底は前記第１の短辺壁側が高く前記出口側が低く傾斜している溝と、
前記溝側から前記第１の長辺壁方向に離れるに従って高くなる傾斜で、１辺を前記第１の短辺壁の内面に連接して前記溝と前記第１の長辺壁との間に配された底面と、
前記底面と前記第２の短辺壁との間に配され前記底面との間の角度を鈍角にして前記底面に連接される対向斜面と、
略三角形で、一辺を前記溝に沿わせ、別の一辺を前記対向斜面との稜線として前記対向斜面と前記出口との間に配される面であって、前記溝から離れるに従って高くなる傾斜を有する呼込面と
を備えることを特徴とする遊技球タンク。
【請求項２】
請求項１記載の遊技球タンクにおいて、
前記第１の長辺壁と前記第２の短辺壁とに連接されて前記第１の長辺壁と前記第２の短辺壁とのコーナー部分に設けられる柱状体であり、
下端が前記対向斜面に連接された阻止面と、
下端が前記呼込面に連接され前記対向斜面と前記呼込面との稜線上で前記阻止面と連設され、前記第２の長辺壁との距離が前記出口側で小さく前記阻止面側で大きく設定された
案内面とが設けられた柱状体
を備えることを特徴とする遊技球タンク。
【請求項３】
請求項１又は２記載の遊技球タンクにおいて、
前記遊技球の半径に満たない幅の面であって、前記底面よりも低く前記溝の底よりも高い位置で前記溝に沿って該溝と前記底面の間に配される段差面
を備えることを特徴とする遊技球タンク。
【請求項４】
請求項１、２又は３記載の遊技球タンクにおいて、
前記溝の底面の傾斜は、前記底面と前記呼込面との境界よりも前記出口寄りの位置に設定された変傾線を境として、上流側の傾斜よりも下流側の傾斜の方が急傾斜になっている
ことを特徴とする遊技球タンク。
【請求項５】
請求項１ないし４のいずれか記載の遊技球タンクにおいて、
前記第２の短辺壁が、前記出口から流出した遊技球を誘導する樋の一部を構成していることを特徴とする遊技球タンク。
【発明の詳細な説明】
【０００１】
【発明の属する技術分野】
本発明は、遊技球タンクに関する。
【０００２】
【従来の技術】
パチンコ機等の遊技球を使用する遊技機では賞球用や貸球用の遊技球を貯留しておくための遊技球タンクを備えている。
遊技球タンクの遊技球は例えば賞球払出装置に供給されるが、賞球払出装置は、遊技球が例えば１列或いは２列で整然と流入することを要求するので、遊技球タンクから流出した遊技球を整列させる必要があった。そのために、従来は遊技球タンクの底面に設けられた遊技球の出口から落下してきた遊技球を、タンクレールと呼ばれる整列用の樋で複数列例えば２列や３列に整列していた。
【０００３】
【発明が解決しようとする課題】
しかし、賞球払出装置や貸球排出装置から排出される遊技球をカウントする必要上、少なくともそれらの装置から排出されるまでには遊技球の流れを１列に整列させる必要があった。したがって、タンクレールで２列や３列に整列しても、更にどこかで１列に整列しなければならないから、そのための装置或いは機構が必要とされていた。
【０００４】
また、従来の遊技球タンクは貯留していた遊技球を無秩序に排出するだけであったから、遊技球を整列させるための付属部品（例えばタンクレール）が必須であった。したがって、部品点数が多く、また付属部品（例えばタンクレール）を装着するスペースも必要となるので、寸法すなわち内部スペースが実質的に限定されている遊技機において、部品配置等を制限してもいた。
【０００５】
本発明は、遊技球タンク内で遊技球を１列に整列させることで流出した遊技球を整列させるための付属部品を不要とし、そのような付属部品に起因していたさまざまな不都合を解消するものである。
【０００６】
【課題を解決するための手段および発明の効果】
上記課題を解決するための請求項１記載の遊技球タンク１０は、図１、２に例示するように、
互いに対面して平行状に配される第１、第２の長辺壁３０ｂ、３０ａと、
端部が前記第１、第２の長辺壁３０ｂ、３０ａの一端部それぞれに連接された第１の短辺壁と、
前記第１の短辺壁と対面して平行状に配され、片方の端部は前記第１の長辺壁と連接されるが他方の端部は前記第２の長辺壁とは連接されず、遊技球を１列で流出させるための出口４０を該他方の端部と前記第２の長辺壁との間に形成する第２の短辺壁と、
前記第１の短辺壁を上流端とし前記出口４０を下流端として前記第２の長辺壁３０ａの内側に沿って配された溝５０であり、幅は遊技球を１列で流下させる幅Ｗ１で、底５０ａは前記第１の短辺壁側が高く前記出口４０側が低く傾斜（矢印Ａ）している溝５０と、
前記溝５０側から前記第１の長辺壁３０ｂ方向に離れるに従って高くなる傾斜（矢印Ｂ）で、１辺を前記第１の短辺壁の内面に連接して前記溝５０と前記第１の長辺壁３０ｂとの間に配された底面２０と、
前記底面２０と前記第２の短辺壁との間に配され前記底面２０との間の角度を鈍角にして前記底面２０に連接される対向斜面７０と、
略三角形で、一辺を前記溝５０に沿わせ、別の一辺を前記対向斜面７０との稜線８０ｂとして前記対向斜面７０と前記出口４０との間に配される面であって、前記溝５０から離れるに従って高くなる傾斜（矢印Ｅ）を有する呼込面８０と
を備えることを特徴とする。
【０００７】
請求項１記載の遊技球タンク１０では、底面２０には、溝５０側から第１の長辺壁３０ｂ方向に離れるに従って高くなる傾斜、すなわち溝５０側が低く第１の長辺壁３０ｂ側が高い傾斜（矢印Ｂ）が付けられているので、底面２０上の遊技球は溝５０に向かって移動し溝５０に落下する。
溝５０の底５０ａは第１の短辺壁側が高く出口４０側が低く傾斜（矢印Ａ）しているので、溝５０に入った遊技球は底５０ａの傾斜によって流下する。溝５０の幅は遊技球を１列で流下させる幅Ｗ１であるから、遊技球は溝５０内を出口４０に向かって１列で移動する。そして、出口４０から流出する。
【０００８】
溝５０内に既に先行して落下した遊技球が存在する場合、後続の遊技球は先行する遊技球によって底面２０からの落下を阻まれるが、先行の遊技球が出口４０に向かって移動することで先行の遊技球による支えがなくなると、底面２０上の遊技球が溝５０に落下してくる。さらに底面２０上に遊技球があれば、その遊技球も同様に溝５０に落下する。この繰り返しにより、遊技球タンク１０に貯留された遊技球が底面２０から溝５０に落下し、出口４０から１列で出て行く。
【０００９】
したがって、  遊技球タンク１０から流出した遊技球を例えば賞球払出装置に供給する場合、出口４０と賞球払出装置とを接続するための樋は要るとしても、従来のタンクレールのような遊技球を複数列に整列させるための付属部品は不要であるし、複数列から１列に整列するための装置や機構等も不要である。よって、部品点数が少なくなり、また付属部品（例えばタンクレール）を装着するスペースも不要となるので、遊技機の部品配置における自由度も向上する。要すれば、遊技球タンク１０から流出した遊技球を整列させるための付属部品は完全に不要となり、そのような付属部品に起因していたさまざまな不都合を全て解消できる。
【００１０】
なお、溝５０を第２の長辺壁３０ａの内側に沿って配する理由は、溝５０への遊技球の落下を底面２０側だけに制限するためである。したがって、図１に示すように、溝５０の一面を第２の長辺壁３０ａと一連の部材にするとよい。溝５０と第２の長辺壁３０ａとの間に間隔を設ける場合には、遊技球がとどまれない間隔（例えば遊技球の半径未満）にすればよい。
【００１１】
また、底面２０には溝５０に向かう傾斜（矢印Ｂ）と併せて溝５０に沿って出口４０側が低くなる傾斜（矢印Ｃ）も持たせると、底面２０上における遊技球の移動方向が図１に矢印Ｄで示す方向に沿ったものになるから遊技球の移動がより円滑になる。
【００１２】
また、請求項１記載の遊技球タンク１０は、前記底面２０と前記第２の短辺壁との間に配され前記底面２０との間の角度を鈍角にして前記底面２０に連接される対向斜面７０を備えている。
【００１３】
対向斜面７０を設けることにより、遊技球タンク１０に多量の遊技球が貯留されている場合などに出口４０付近に遊技球が集中するのを防止でき、また出口４０付近に球圧が集中するのも防止できる。その結果、出口４０付近での球詰まりを防止できる。
【００１４】
請求項１記載の遊技球タンク１０は、さらに、略三角形で、一辺８０ａを前記溝５０に沿わせ、別の一辺を前記対向斜面７０との稜線８０ｂとして前記対向斜面７０と前記出口４０との間に配される面であって、前記溝５０から離れるに従って高くなる傾斜（矢印Ｅ）を有する呼込面８０を備えている。
【００１５】
呼込面８０を設けることにより、遊技球タンク１０内に多量の遊技球が貯留されているときに対向斜面７０の上部（底面２０から遠い部分）の遊技球を呼込面８０によって溝５０へ落下誘導できる。その結果、溝５０の上方で、対向斜面７０と壁体３０との間になる部分での球詰まりを防止できる。
【００１６】
請求項２記載の遊技球タンク１０は、図１、２に例示するように、請求項１記載の遊技球タンク１０において、
前記第１の長辺壁３０ｂと前記第２の短辺壁とに連接されて前記第１の長辺壁３０ｂと前記第２の短辺壁とのコーナー部分に設けられる柱状体であり、下端が前記対向斜面７０に連接された阻止面１００と、下端が前記呼込面８０に連接され前記対向斜面７０と前記呼込面８０との稜線上で前記阻止面１００と連設され、前記第２の長辺壁３０ａとの距離が前記出口４０側で小さく前記阻止面１００側で大きく設定された案内面９０とが設けられた柱状体を備えることを特徴とする。
【００１７】
阻止面１００が、その背後側すなわち対向斜面７０の上部（底面２０から遠い部分）への遊技球の移動を阻み、案内面９０が、呼込面８０の出口４０側部分と壁面３０ａとの間に過剰な遊技球が蓄積されるのを防止する。これにより、呼込面８０と壁面３０ａとの間になる部分での球詰まりを防止できる。
【００１８】
請求項３記載の遊技球タンク１０は、図１、２に例示するように、請求項１又は２記載の遊技球タンク１０において、前記遊技球の半径に満たない幅Ｗ２の面であって、前記底面２０よりも低く前記溝５０の底５０ａよりも高い位置で前記溝５０に沿って該溝５０と前記底面２０の間に配される段差面６０を備えることを特徴とする。
【００１９】
上述したとおり、底面２０には、溝５０側から離れるに従って高くなる傾斜、すなわち溝５０側が低く溝５０から離れた側が高い傾斜（矢印Ｂ）が付けられているので、底面２０上の遊技球は溝５０に向かって移動する。そして、底面２０からまず段差面６０上に落下する。段差面６０の幅は遊技球の半径に満たない幅Ｗ２だから、遊技球は段差面６０上にとどまれず、溝５０内に落下する。
【００２０】
図３（ａ）、（ｂ）に示すように、溝５０内に既に先行して落下した遊技球Ｐ１〜Ｐ３が存在する場合、後続の遊技球Ｐ４は段差面６０からの落下を阻まれることになる。その際に、後続の遊技球Ｐ４は、図３（ｂ）に一点鎖線で示す位置（１個の先行遊技球Ｐ３上になる位置）では安定しないから、２つの先行遊技球Ｐ１、Ｐ２と段差面６０の端縁との３点で支えられる状態になる。
【００２１】
そして、遊技球Ｐ１よりも下流側の遊技球が出口４０に向かって移動し遊技球Ｐ１も同方向に移動すると、遊技球Ｐ１による支えがなくなるので遊技球Ｐ４は遊技球Ｐ１と遊技球Ｐ２の間に落下する。底面２０上に遊技球Ｐ４に続く遊技球があれば、その遊技球も遊技球Ｐ４と同様に溝５０に落下する。この繰り返しにより、遊技球タンク１０に貯留された遊技球が底面２０から段差面６０を経て溝５０に落下し、出口４０から１列で出て行く。
【００２２】
底面２０と溝５０との間に段差面６０を設けたので、底面２０から溝５０への遊技球の移動がより順序だったものになる。
請求項４記載の遊技球タンク１０は、請求項１、２又は３記載の遊技球タンク１０において、前記溝の底面の傾斜は、前記底面と前記呼込面との境界よりも前記出口寄りの位置に設定された変傾線を境として、上流側の傾斜よりも下流側の傾斜の方が急傾斜になっていることを特徴とする。
溝５０の傾斜が変傾線で変化し、上流側の傾斜（Ａ１）よりも下流側の傾斜（Ａ２）の方が急傾斜になっているので、遊技球の移動速度は上流側よりも下流側の方が速くなる。このため、底面２０と呼込面８０との境界付近や案内面９０の上流側から溝５０に落下しようとする遊技球にたいしては、その落下先（変傾線付近）に空きができやすく、それらの遊技球の落下が速やかとなる。これによっても遊技球の停滞を防止できる。
請求項５記載の遊技球タンク１０は、図１、２に例示するように、請求項１ないし４のいずれか記載の遊技球タンク１０において、前記第２の短辺壁が、前記出口４０から流出した遊技球を誘導する樋１１０の一部を構成していることを特徴とする。
【００２３】
出口４０から流出する遊技球を壁体３０に沿って誘導する場合に、第２の短辺壁を樋１１０の一部として利用すれば、それだけ樋１１０の材料を節約できる。また、樋１１０（少なくともその一部）を壁体３０（或いは遊技球タンク１０全体）と一体成形することも可能になるから、製造コストも低減できる。
【００２４】
【発明の実施の形態】
次に、本発明の実施例を図面を参照して説明することにより発明の実施の形態を説明する。
【００２５】
【実施例】
図４〜６に示すように、遊技球タンク１０の壁体３０はほぼ箱状で、その一隅を切り欠いた形態で出口４０が設けられている。壁体３０の手前側の壁面３０ａの上辺の一部は出口４０に向かって傾斜状に切り欠かれている。これと対向する壁面３０ｂの外側には、遊技球タンク１０を遊技機本体（図示は省略）に取り付けるための突起３１ａ、３１ｂが設けられており、左右の壁面３０ｃ、３０ｄにも同じ用途の突起３２、３３が設けられている。
【００２６】
壁体３０の内側には底面２０が横設され、手前側の壁面３０ａ沿って溝５０が配され、底面２０と溝５０の間には段差面６０が介在している。
溝５０の底５０ａには一対のレール部５１とその間の凹部５２とが設けられており、レール部５１の横と凹部５２にはほこり等を排出するための穴５３、５４が設けられている。なお、図６ではレール部５１及び凹部５２を省略している。溝５０の一端は壁面３０ｃにて閉じられ他端は出口４０となっている。底５０ａは壁面３０ｃ側から出口４０側に向かって傾斜（矢印Ａ１、Ａ２）している。ただし、底５０ａは変傾線５５を境にして上流側５６と下流側５７とに区分されており、下流側５７の傾斜Ａ２が上流側５６の傾斜Ａ１よりも大きい。底５０ａの幅は遊技球を１列で流下させる幅Ｗ１である。このため、溝５０内に遊技球があれば、それらは一列になって出口４０へと流下する。
【００２７】
段差面６０は、底面２０よりも低く溝５０の底５０ａよりも高い位置で溝５０に沿って配されており、その幅Ｗ２は遊技球の半径に満たない。なお、本実施例の場合、底５０ａと段差面６０との落差は、ほぼ遊技球の直径に設定されている。
【００２８】
底面２０には、溝５０と直交する方向については壁面３０ｂ側が高く壁面３０ａ側が低くなる傾斜（溝５０側から離れるに従って高くなる傾斜、矢印Ｂ）が施され、溝５０に平行な方向については壁面３０ｃ側が高く壁面３０ｄ側が低くなる傾斜（溝５０に沿って出口４０側が低くなる傾斜、矢印Ｃ）が施されている。このため、底面２０上に遊技球があれば、それらは溝５０へと流れ落ちる。
【００２９】
底面２０の壁面３０ｄ側（出口４０側）には対向斜面７０が接続されている。対向斜面７０は底面２０の延長面の上側に配され、底面２０との間の角度を鈍角にしている。
この対向斜面７０の出口４０側には、呼込面８０が配されている。呼込面８０は三角形で、下辺８０ａを溝５０に沿わせ、別の一辺は対向斜面７０との稜線８０ｂとなっている。呼込面８０は対向斜面７０から溝５０に向かう傾斜（溝５０から離れるに従って高くなる傾斜、矢印Ｅ）が施されている。また、下辺８０ａは、上流側では段差面６０の底面２０側の縁に接し出口４０側では段差面６０の溝５０側の縁に達しており、段差面６０を出口４０側で狭めている。
【００３０】
この呼込面８０の上側には案内面９０が立設されている。
案内面９０は台形状の面であり、下辺９０ａは呼込面８０の一辺と整合し、一対の縦辺９０ｂ、９０ｃの一方は壁面３０ｄの端（出口４０）に整合している。そして、壁面３０ａとの距離は、出口４０側で小さく縦辺９０ｃ（溝５０の上流側）で大きく設定されている。
【００３１】
一方、対向斜面７０の上側には、壁面３０ｃとほぼ平行な阻止面１００が立設されている。阻止面１００は、呼込面８０の稜線８０ｂ上で案内面９０に接続されており、案内面９０の縦辺９０ｃは阻止面１００と案内面９０との稜線となっている。また、阻止面１００と案内面９０の上端間は蓋面１０２が横設されている。
【００３２】
壁体３０の外側には出口４０から流出する遊技球を誘導するための樋１１０が取り付けられている。樋１１０は、壁面３０ｄに沿う側路部１１１と壁面３０ｄにほぼ垂直な引出部１１２とからなる。側路部１１１は、壁面３０ｄに固定された三角柱状の柱体１１３、壁面３０ｄに沿う側板１１４及び底板１１５と壁面３０ｄによって形成されている。引出部１１２は、底板１１６、一対の側板１１７及び天井板１１８からなる漏斗状の樋である。なお、壁面３０ｄ、側板１１４、１１７には、ほこり等を排出するための穴１１９が設けられている。
【００３３】
側路部１１１及び引出部１１２の通路幅は遊技球の直径をわずかに上回り、遊技球が一列で通過できる。一方、通路高さは、側路部１１１では側板１１４の高さ（天井に該当する部材はない。）であり、引出部１１２では側路部１１１側から流出口１２０側へと低くなり、流出口１２０では遊技球の直径をわずかに上回る高さである。したがって、側路部１１１及び引出部１１２の上流端部では、遊技球が複数段にかさなることを許すが、流出口１２０から流出するまでには１段すなわち１条に整列させられる。
【００３４】
この遊技球タンク１０には図示しない補給樋等により遊技球が供給され、主に底面２０と壁体３０で囲まれる領域に遊技球が貯留される。
底面２０には、溝５０側が低く溝５０から離れた側が高い傾斜（矢印Ｂ）が付けられているので、底面２０上の遊技球は溝５０に向かって移動し、段差面６０上に落下する。段差面６０の幅は遊技球の半径に満たない幅Ｗ２だから、遊技球は段差面６０上にとどまれず、溝５０内に落下する。
【００３５】
溝５０の底５０ａは一端側から他端側に傾斜しているので、溝５０に入った遊技球は底５０ａの傾斜によって流下する。溝５０の幅は遊技球を１列で流下させる幅Ｗ１であるから、遊技球は溝５０の一端側から他端側に１列で移動する。そして、出口４０から流出する。
【００３６】
図３（ａ）、（ｂ）に示すように、溝５０内に既に先行して落下した遊技球Ｐ１〜Ｐ３が存在する場合、後続の遊技球Ｐ４は段差面６０からの落下を阻まれることになる。その際に、後続の遊技球Ｐ４は、図３（ｂ）に一点鎖線で示す位置（１個の先行遊技球Ｐ３上になる位置）では安定しないから、２つの先行遊技球Ｐ１、Ｐ２と段差面６０の端縁との３点で支えられる状態になる。
【００３７】
そして、遊技球Ｐ１よりも下流側の遊技球が出口４０に向かって移動し遊技球Ｐ１も同方向に移動すると、遊技球Ｐ１による支えがなくなるので遊技球Ｐ４は遊技球Ｐ１と遊技球Ｐ２の間に落下する。底面２０上に遊技球Ｐ４に続く遊技球があれば、その遊技球も遊技球Ｐ４と同様に溝５０に落下する。この繰り返しにより、遊技球タンク１０に貯留された遊技球が底面２０から段差面６０を経て溝５０に落下し、出口４０から１列で出て行く。
【００３８】
出口４０から流出した遊技球は樋１１０によって誘導されて、例えば賞球払出装置に供給される。
遊技球は出口４０から流出する時点ではほぼ１条になっているが、ときには出口４０で例えば２段に重なっていることもある。しかし、ほとんどの場合側路部１１１でほぼ完全に１条になる。もし側路部１１１までに１条にならなくても、引出部１１２では完全に１条になる。
【００３９】
遊技球タンク１０から流出した遊技球を例えば賞球払出装置に供給する場合、出口４０と賞球払出装置とを接続するために樋１１０は要るとしても、従来のタンクレールのような遊技球を整列させるための付属部品は不要である。よって、部品点数が少なくなり、また付属部品（例えばタンクレール）を装着するスペースも不要となるので、遊技機の部品配置における自由度も向上する。要すれば、遊技球タンク１０から流出した遊技球を整列させるための付属部品は完全に不要となり、そのような付属部品に起因していたさまざまな不都合を全て解消できる。
【００４０】
この遊技球タンク１０では、底面２０には溝５０に向かう傾斜（矢印Ｂ）と併せて溝５０に沿って出口４０側が低くなる傾斜（矢印Ｃ）も持たせてあるので、底面２０上における遊技球の移動方向が図１に矢印Ｄで示す方向に沿ったものになるから遊技球の移動がより円滑になる。
【００４１】
これらの傾斜（矢印Ｂ、Ｃ）により遊技球の球圧が出口４０側に向かって作用するが、底面２０の出口４０側に対向斜面７０を設けたので、遊技球タンク１０に多量の遊技球が貯留されている場合などに出口４０付近に遊技球が集中するのを防止でき、また出口４０付近に球圧が集中するのも防止できる。その結果、出口４０付近での球詰まりを防止できる。
【００４２】
さらに、対向斜面７０と出口４０の間に呼込面８０を設けているので、遊技球タンク１０内に多量の遊技球が貯留されているときに対向斜面７０の上部（底面２０から遠い部分）の遊技球を呼込面８０によって溝５０へ落下誘導できる。その結果、溝５０の上方で、対向斜面７０と壁体３０との間になる部分での球詰まりを防止できる。
【００４３】
しかも、呼込面８０の上側に案内面９０を設け、対向斜面７０の上側に阻止面１００を設けたので、阻止面１００が、その背後側すなわち対向斜面７０の上部（底面２０から遠い部分）への遊技球の移動を阻み、案内面９０が、呼込面８０の出口４０側部分と壁面３０ａとの間に過剰な遊技球が蓄積されるのを防止する。これにより、呼込面８０と壁面３０ａとの間になる部分での球詰まりを防止できる。
【００４４】
また、溝５０の傾斜が、呼込面８０の出口４０側から２／３程の位置に設定されている変傾線５５で変化し、下流側５７の傾斜Ａ２の方が急傾斜になっているので、遊技球の移動速度は上流側５６よりも下流側５７の方が速くなる。このため、底面２０と呼込面８０との境界付近や案内面９０の上流側から溝５０に落下しようとする遊技球にたいしては、その落下先（変傾線５５付近）に空きができやすく、それらの遊技球の落下が速やかとなる。これによっても遊技球の停滞を防止できる。
【００４５】
そして、壁体３０の一部（壁面３０ｄ）が、出口４０から流出する遊技球を誘導する樋１１０の一部を構成しているので、それだけ樋１１０の材料を節約できる。また、樋１１０（少なくともその一部）を壁体３０（或いは遊技球タンク１０全体）と一体成形することも可能になるから、製造コストも低減できる。
【００４６】
以上、実施例に従って、本発明の実施の形態について説明したが、本発明はこのような実施例に限定されるものではなく、本発明の要旨を逸脱しない範囲でさまざまに実施できることは言うまでもない。例えば実施例では底面２０と溝５０との間に段差面６０を配しているが、段差面６０を設けなくてもよい。或いは段差面６０の代わりに底面２０と溝５０の間に傾斜面を設けても、段差面６０と同様の効果を得ることができる。
【００４７】
また、本発明の遊技球タンクはパチンコ機に代表される弾球遊技機ばかりでなく、遊技球を例えばゲームを実行するための賭球としたり当たり（入賞）に対する景品として遊技球を払い出す形式のスロットマシン等、遊技球を使用するさまざまな遊技機に使用できる。
【図面の簡単な説明】
【図１】  本発明の遊技球タンクの構造を例示するための平面図である。
【図２】  本発明の遊技球タンクの構造を例示するための側面図である。
【図３】  本発明の遊技球タンクにおける段差面の説明図であり、図３（ａ）は溝の断面図に相当する説明図、図３（ｂ）は溝の平面図に相当する説明図である。
【図４】  実施例の遊技球タンクの平面図である。
【図５】  実施例の遊技球タンクの側面図である。
【図６】  実施例の遊技球タンクの斜視図である。
【符号の説明】
１０…遊技球タンク
２０…底面
３０…壁体
３０ａ〜３０ｄ…壁面
４０…出口
５０…溝
５０ａ…底
６０…段差面
７０…対向斜面
８０…呼込面
８０ａ…下辺
８０ｂ…稜線
９０…案内面
９０ａ…下辺
９０ｂ…縦辺
９０ｃ…縦辺
１００…阻止面
１０２…蓋面
１１０…樋
Ｐ１〜Ｐ４…遊技球
【図１】
0004500396.tif 000002
【図２】
0004500396.tif 000003
【図３】
0004500396.tif 000004
【図４】
0004500396.tif 000005
【図５】
0004500396.tif 000006
【図６】
0004500396.tif 000007